(57)【要約】      （修正有）【課題】熱源を必要とすることなく、軽量コンパクトな構造で効果的に結露防止することのできる窓の結露防止具を提供する。【解決手段】複数の空洞部を有するフレーム基材の表面部及び裏面部にフィルムシート８ａ，８ｂを固着して第１空気層部９を形成するフレーム基台２と、当該フレーム基台の表面部の周囲に形成された凸枠部４と、前記フレーム基台の中央空洞部の周辺部に形成された凸設部５とを構成するフレーム本体１を、当該フレーム本体の表面部側を室内側の面に対面する窓ガラスに密着固着することにより、当該窓ガラスと前期フレーム本体との間に第２空気層部を形成する。【選択図】図１
0003174923.tif 000002
【実用新案登録請求の範囲】
【請求項１】
複数の空洞部を有するフレーム基材の表面部及び裏面部にフィルムシートを固着して第1空気層部を形成するフレーム基台と、当該フレーム基台の表面部の周囲に形成された凸枠部と、前記フレーム基台の中央空洞部の周辺部に形成された凸設部とを構成するフレーム本体を、当該フレーム本体の表面部側を室内側の面に対面する窓ガラスに密着固着することにより、当該窓ガラスと前期フレーム本体との間に第２空気層部を形成することを特徴とする窓の結露防止具。
【考案の詳細な説明】
【技術分野】
【０００１】
本考案は、家屋等に取り付けられている窓の結露防止具に関する。
【背景技術】
【０００２】
家屋等の室内で暖房することにより室温と外気温に温度差がある場合には、室内の窓ガラス面に結露を生ずることとなり、結露した水滴は下に流れ、床をぬらし次第に床を腐食していくという問題や下に溜まった結露が凍って窓が開かなくなるという問題がある。
【０００３】
そこで、特許文献１には、窓ガラスの室内側の面に対面し、ある距離で平行して面状ヒーターを配置して窓ガラス面と面状ヒーターとの間に断面空間を形成し、更に前記面状発熱体を電源に連結する技術が開示されている。
【先行技術文献】
【特許文献】
【０００４】
【特許文献１】特開平７−２６８５０号公報
【考案の概要】
【考案が解決しようとする課題】
【０００５】
しかしながら、上記特許文献１では、面状ヒーターを取り付けるための設置費用の負担や、ヒーターの熱源供給手段としては一般の電気を使用することとなるため、節電に協力する対応を必要とする現在では当該技術を実施することは適していない状況がある。また、長時間使用することによる漏電による火災等の危険も伴う問題がある。
【０００６】
本考案は、熱源を必要とすることなく、軽量コンパクトな構造で効果的に結露を防止することのできる窓の結露防止具を提供することを目的とする。
【課題を解決するための手段】
【０００７】
上記課題を解決するために、本考案の窓の結露防止具は、複数の空洞部を有するフレーム基材の表面部及び裏面部にフィルムシートを固着して第1空気層部を形成するフレーム基台と、当該フレーム基台の表面部の周囲に形成された凸枠部と、前記フレーム基台の中央空洞部の周辺部に形成された凸設部とを構成するフレーム本体を、当該フレーム本体の表面部側を室内側の面に対面する窓ガラスに密着固着することにより、当該窓ガラスと前期フレーム本体との間に第２空気層部を形成することを特徴とする。
【考案の効果】
【０００８】
本考案によれば、第１空気層部と第２空気層部を形成することにより、熱源を用いることなく、２段階の断面空気層が設けられるため、断熱効率を上げることができ、結露を防止することができる。また、材料や構造も軽量でコンパクトなため、どの窓ガラスにも簡単に取り付けることができる。
【図面の簡単な説明】
【０００９】
【図１】は本考案の窓の結露防止具に係る概略図である。
【図２】は本考案の窓の結露防止具に係る図１のＡ−Ａ断面図である。
【図３】は本考案の窓の結露防止具を窓ガラスに取り付けた状態を示す側断面図ある。
【図４】は本考案の窓の結露防止具を窓枠の窓ガラス全体に取り付けた状態を示す正面図である。
【考案を実施するための最良の形態】
【００１０】
以下、本考案を実施するための最良の実施形態について説明する。  
図１〜図４に本考案の第１実施形態の窓の結露防止具を示す。
結露防止具としてのフレーム本体１は、フレーム基台２と、当該フレーム基台２の表面周囲のコーナーに設けられた凸枠部４と、前記フレーム基台２の中央位置に設けられた凸設部５とからなる構造となっている。
【００１１】
フレーム基台２は、軽量の発泡スチロール材からなるフレーム基材と、そのフレーム基材に形成された４つの均等なる空洞略四角形部６ａ，６ｂ，６ｃ，６ｄと、これら４つの空洞略四角形部６ａ，６ｂ，６ｃ，６ｄが対峙する中心部位置に形成された空洞円形部７と、フレーム基材の周囲部２ａと、前記空洞円形部７からそれぞれ直角になす４つのフレーム基材の橋部２ｂとから構成されている。
さらに、フレーム基材の表面部３ａ及び裏面部３ｂの全面に亘ってポリプロピレン樹脂材（以下「ＰＰ材」という。）からなる透明のフィルムシート８ａ，８ｂが固着される構成となっている。
なお、フィルムシート８ａ，８ｂ材としてＰＰ材を使用したのは、ＰＰ材が汎用樹脂の中で比重が非常に軽く軽量化時代となった現代に理想的で耐熱性や耐油性や抗折力に優れ、さらに強度が高く、吸湿性がなく、酸・アルカリ等の耐薬品性にも優れている材料であるためである。
【００１２】
そして、ＰＰ材がフレーム基材の表面部３ａ及び裏面部３ｂの全面に亘って固着されることにより、前記４つの空洞略四角形部６ａ，６ｂ，６ｃ，６ｄには第１空気層部９がそれぞれ形成されることとなる。
【００１３】
さらに、前記空洞略四角形部６ａ，６ｂ，６ｃ，６ｄを形成するフレーム基材の周囲側面部にはアルミ材かなるハニカム状部材１０が固着されている。
【００１４】
前記空洞部７には、結露防止具としてのフレーム本体１を窓ガラス１１に密着固着するための吸着パッキン１２が挿入されることになる。
【００１５】
そして、ＰＰ材からなるフィルムシート８ａが固着されたフレーム基台２の周囲部２ａの位置のコーナーには発泡スチロール材からなる凸枠部４が立設され、また、フィルムシート８ａが固着されたフレーム基台２の４つの橋部２ｂの位置には発泡スチロール材からなる凸設部５がそれぞれ立設されており、凸枠部４と凸設部５の立設高さは全て同じ高さとなるように設けられている。
【００１６】
上記構造の結露防止具としてのフレーム本体１の表面部側となる凸枠部４と凸設部５が立設されている側を、吸着パッキン１２を介して室内側の面に対面する窓ガラス１１に密着固着することにより、当該窓ガラス１１と前記フレーム本体１との間には第２空気層部１３が形成されることになる。
【００１７】
そして、図３，図４に示すように、本考案の窓の結露防止具としてのフレーム本体１を使用するには、窓枠１４の窓ガラス１１のサイズに応じて、フレーム本体１を複数枚、例えば本考案の実施例では６枚取り付けて使用することになる。
【００１８】
上記構造の結露防止具を窓ガラス１１に取り付けることにより、フレーム基台２に形成されている第１空気層部９と、窓ガラス１１と前記フレーム本体１との間に形成される第２空気層部１３によって、２段階の断面空気層が設けられることにより、室内温と外気温との断熱効果を向上させることができるため、熱源を必要とすることなく、窓の結露防止を図ることができる。
【００１９】
また、空洞略四角形部６ａ，６ｂ，６ｃ，６ｄを形成するフレーム基材の周囲面部に固着されているハニカム状部材１０内に、暖気が蓄積されることによる断熱効果と上述の第１空気層部９と第２空気層部１３との総合的断熱効果の向上によっても窓の結露防止を図ることができる。
【００２０】
さらに、結露防止具としてのフレーム本体１は、フレーム基台２のフレーム基材や凸枠部４及び凸設部５が発泡スチロール材からなり、また、フィルムシート８ａがＰＰ材からなる極めて軽量からなる材料で構成されているため、窓ガラス１１への密着固着力が長時間維持することができ、フレーム本体１を縦に積重ねても窓ガラス１１への密着固着力は長時間維持することができる。
【００２１】
したがって、フレーム本体１が上述の如き極めて軽量なる材料でその構造もコンパクトであるため、どこにでも持ち運びができ、縦・横に複数枚並べて取り付けることができる。また、その製作コストも安価で提供することができる。
【符号の説明】
【００２２】
１                        結露防止具としてのフレーム本体
２                        フレーム基台
２ａ                      周囲部
２ｂ                      橋部
３ａ                      表面部
３ｂ                      裏面部
４                        凸枠部
５                        凸設部
６ａ，６ｂ，６ｃ，６ｄ    空洞略四角形部
７                        空洞円形部
８ａ，８ｂ                フィルムシート
９                        第１空気層部
１０                      ハニカム状部材
１１                      窓ガラス
１２                      吸着パッキン
１３                      第２空気層部
１４                      窓枠
【図１】
0003174923.tif 000003
【図２】
0003174923.tif 000004
【図３】
0003174923.tif 000005
【図４】
0003174923.tif 000006